(57)【要約】【課題】時計の時刻情報等の表示面のデザイン等をその著作権の保護を図りながら、より自由にカスタマイズ化が図れると共に更に時計の機能を拡張することができる時計システムとその時計とを提供すること。【解決手段】少なくとも時刻を表示する領域の背景情報を記録可能な記録媒体３と、現在の時刻情報を生成する手段、それにより生成された現在の時刻情報に基づき時刻を表示する領域に時刻を表示する手段、記録媒体３が着脱可能なインターフェース手段及びそのインターフェース手段に装着された記録媒体３に記録された少なくとも背景情報に基づき、時刻を表示する領域の背景を表示する手段を有する時計とを別々のものとして時計システム１を構成した。【選択図】  図１
2004317430.tif 000002
【特許請求の範囲】
【請求項１】
（ａ）少なくとも時刻を表示する領域の背景情報を記録可能な記録媒体と、
（ｂ）現在の時刻情報を生成する手段と、
前記生成された現在の時刻情報に基づき前記時刻を表示する領域に時刻を表示する手段と、
前記記録媒体が着脱可能なインターフェース手段と、
前記インターフェース手段に装着された記録媒体に記録された少なくとも前記背景情報に基づき、前記時刻を表示する領域の背景を表示する手段と
を有する時計と
を具備することを特徴とする時計システム。
【請求項２】
請求項１に記載の時計システムにおいて、
前記時刻を表示する手段は、前記インターフェース手段に装着された記録媒体に記録された少なくとも前記背景情報に基づき、表示できるものであることを特徴とする時計システム。
【請求項３】
請求項１に記載の時計システムにおいて、
前記記録媒体は、少なくとも前記背景情報を編集して記録することができる記録媒体であることを特徴とする時計システム。
【請求項４】
請求項１に記載の時計システムにおいて、
前記時刻を表示する領域の背景を表示する手段は、
前記生成された現在の時刻情報に基づき、前記記録媒体に記録された少なくとも前記背景情報の使用を規制する手段を有することを特徴とする時計システム。
【請求項５】
請求項１に記載の時計システムにおいて、
前記記録媒体は、時限管理情報を更に記録可能であり、
前記時計は、
前記インターフェース手段に装着された記録媒体に記録された前記時限管理情報に基づき所定の時刻に振動する手段を更に有することを特徴とする時計システム。
【請求項６】
請求項１に記載の時計システムにおいて、
前記記録媒体は、金銭管理情報を更に記録可能であり、
前記時計は、
前記インターフェース手段に装着された記録媒体に記録された前記金銭管理情報を送信する手段を更に有することを特徴とする時計システム。
【請求項７】
請求項１に記載の時計システムにおいて、
（ｃ）前記時計に備えられた少なくとも前記現在の時刻情報を生成するための駆動用電力源である２次電池の充電手段を更に有し、
前記充電手段は、前記時計に非接触で前記２次電池に電圧を印加可能な充電器であることを特徴とする時計システム。
【請求項８】
請求項７に記載の時計システムにおいて、
前記充電器は、前記現在の時刻情報に関する時間情報の基礎となる標準電波を受信すると共に、前記時計に前記時間情報を提供できることを特徴とする時計システム。
【請求項９】
現在の時刻情報を生成する手段と、
前記生成された現在の時刻情報に基づき時刻を表示する領域に時刻を表示する手段と、
少なくとも前記時刻を表示する領域の背景情報を記録可能な記録媒体が着脱可能なインターフェース手段と、
前記インターフェース手段に装着された記録媒体に記録された少なくとも前記背景情報に基づき、前記時刻を表示する領域の背景を表示する手段と
を具備することを特徴とする時計。
【請求項１０】
請求項９に記載の時計において、
前記時刻を表示する手段は、
前記インターフェース手段に装着された記録媒体に記録された少なくとも前記背景情報に基づき、表示できるものであることを特徴とする時計。
【請求項１１】
請求項９に記載の時計において、
前記時刻を表示する領域の背景を表示する手段は、
前記生成された現在の時刻情報に基づき、前記記録媒体に記録された少なくとも前記背景情報の使用を規制する手段を有することを特徴とする時計。
【請求項１２】
請求項９に記載の時計において、
前記インターフェース手段は、時限管理情報を更に記録可能である前記記録媒体を装着可能であり、
前記インターフェース手段に装着された記録媒体に記録された前記時限管理情報に基づき、所定の時刻に振動する手段を更に有することを特徴とする時計。
【請求項１３】
請求項９に記載の時計において、
前記インターフェース手段は、金銭管理情報を更に記録可能である前記記録媒体を装着可能であり、
前記インターフェース手段に装着された記録媒体に記録された前記金銭管理情報を送信する手段を更に有することを特徴とする時計。
【請求項１４】
請求項９に記載の時計において、
少なくとも前記現在の時刻情報を生成するための駆動用電力源である２次電池の充電器から前記充電器と非接触で電圧の印加を受ける手段を更に具備することを特徴とする時計。
【請求項１５】
請求項１４に記載の時計において、
前記現在の時刻情報を生成する手段は、
前記現在の時刻情報に関する時間情報の基礎となる標準電波を受信すると共に前記時間情報を提供できる前記充電器から提供される前記時間情報に基づき、前記現在の時刻情報を修正する手段を有するものであることを特徴とする時計。
【発明の詳細な説明】
【０００１】
【発明の属する技術分野】
本発明は、例えば腕時計の機能拡張に用いられる時計システムと時計とに関する。
【０００２】
【従来の技術】
従来、時計例えばアナログ様式の腕時計の文字板のデザインを変更することによって腕時計のカスタマイズ化がなされていた。また、その腕時計の機能を更に拡張する電波時計等も考え出されている。
（例えば、特許文献１参照。）。
【０００３】
【特許文献１】
特開昭６３−２１６０９０号公報（明細書１頁の特許請求の範囲の欄及び問題点を解決するための手段の欄、図１）。
【０００４】
【発明が解決しようとする課題】
しかしながら、文字板のデザインの変更は例えばあらかじめ作成されたデザインに限られ、必ずしもカスタマイズ化が十分とはいえない。
【０００５】
また、すでに作成されたデザインの著作権としての保護も十分ではないという問題があった。
【０００６】
更に腕時計の機能を拡張する電波時計等も、例えばその腕時計が大型化してしまう等必ずしもその機能を十分に生かしているとは言えないという問題もあった。
【０００７】
本発明は、上述の課題に鑑みてなされるもので、時計の時刻情報等の表示面のデザイン等をその著作権の保護を図りながら、より自由にカスタマイズ化が図れると共に更に時計の機能を拡張することができる時計システムとその時計とを提供することを目的とする。
【０００８】
【課題を解決するための手段】
上記目的を達成するために、本発明の主たる観点に係る時計システムは、（ａ）少なくとも時刻を表示する領域の背景情報を記録可能な記録媒体と、（ｂ）現在の時刻情報を生成する手段と、前記生成された現在の時刻情報に基づき前記時刻を表示する領域に時刻を表示する手段と、前記記録媒体が着脱可能なインターフェース手段と、前記インターフェース手段に装着された記録媒体に記録された少なくとも前記背景情報に基づき、前記時刻を表示する領域の背景を表示する手段とを有する時計とを具備することを特徴とする。
【０００９】
ここで、「時刻を表示する領域」とは、例えばアナログ様式の時計であれば文字板の１時から１２時までを表す数字等とそれを指す時針、分針及び秒針等の領域をいう。また、「背景情報」とは例えばアナログ様式の時計であれば文字板の１時から１２時までを表す数字等とそれを指す時針、分針及び秒針等の領域を除いた領域に表されたデザインの情報等をいうものとする。従って、「背景」とは例えばアナログ様式の時計であれば文字板の１時から１２時までを表す数字等とそれを指す時針、分針及び秒針等の領域を除いた領域に表されたデザイン等をいうものとする。
【００１０】
本発明では、少なくとも時刻を表示する領域の背景情報を記録可能な記録媒体と、現在の時刻情報を生成する手段、それにより生成された現在の時刻情報に基づき時刻を表示する領域に時刻を表示する手段、記録媒体が着脱可能なインターフェース手段及びそのインターフェース手段に装着された記録媒体に記録された少なくとも背景情報に基づき、時刻を表示する領域の背景を表示する手段を有する時計とを別々のものとして時計システムを構成したので、例えば時計自体は小型化しながら文字板に形成されたデザインを、記録媒体を装着することによって多種多様なデザインに変更でき、時計のカスタマイズ化が可能となる。
【００１１】
本発明の一の形態によれば、前記時刻を表示する手段は、前記インターフェース手段に装着された記録媒体に記録された少なくとも前記背景情報に基づき、表示できるものであることを特徴とする。これにより、例えば時刻を表示する領域のデザイン等も記録媒体に記録された背景情報等に基づいて表示できることなり、時計の時刻情報等の表示面全体のカスタマイズ化が図れる。
【００１２】
本発明の一の形態によれば、前記記録媒体は、少なくとも前記背景情報を編集して記録することができる記録媒体であることを特徴とする。これにより、例えば時計のユーザーがパーソナルコンピュータ等で背景情報等を自由に編集して記録媒体に記録させ、その記録させた記録媒体を時計に装着することにより時計の時刻情報等の表示面全体のカスタマイズ化がより図れる。
【００１３】
本発明の一の形態によれば、前記時刻を表示する領域の背景を表示する手段は、前記生成された現在の時刻情報に基づき、前記記録媒体に記録された少なくとも前記背景情報の使用を規制する手段を有することを特徴とする。これにより、例えば他人のデザインである背景情報等を記録媒体に記録させ、その記録媒体を時計に装着して背景を表示させる場合に、時計自体による現在の時刻情報に基づき所定の時間に限りその背景を使用できるようにできるので、著作権の保護が図れる。
【００１４】
本発明の一の形態によれば、前記記録媒体は、時限管理情報を更に記録可能であり、前記時計は、前記インターフェース手段に装着された記録媒体に記録された前記時限管理情報に基づき所定の時刻に振動する手段を更に有することを特徴とする。これにより、記録媒体を装着することで時計の時刻を表示する領域の背景をより自由なカスタマイズ化が図れると共に、例えばバイブレーター等により確実な時限管理が可能で、しかも直ちに豊富なスケジュールを視認できる等腕時計の機能を拡張できる。ここで「時限管理情報」とは、例えばスケジュール表の情報のようなものをいう。
【００１５】
本発明の一の形態によれば、前記記録媒体は、金銭管理情報を更に記録可能であり、前記時計は、前記インターフェース手段に装着された記録媒体に記録された前記金銭管理情報を送信する手段を更に有することを特徴とする。これにより、記録媒体を装着することで時計の時刻を表示する領域の背景のより自由なカスタマイズ化が図れると共に、記録媒体に記録された金銭管理情報を外部受信機に送信することができ、例えば腕時計が定期や金銭等の代わりとして使うことも可能となる。ここで「金銭管理情報」とは、例えば商品の購入等の支出や収入等の情報をいう。
【００１６】
本発明の一の形態によれば、（ｃ）前記時計に備えられた少なくとも前記現在の時刻情報を生成するための駆動用電力源である２次電池の充電手段を更に有し、前記充電手段は、前記時計に非接触で前記２次電池に電圧を印加可能な充電器であることを特徴とする。これにより、記録媒体を装着することで時計の時刻を表示する領域の背景のより自由なカスタマイズ化が図れると共に、例えばカスタマイズ化により消費電力量が大きくなっても、電池をたびたび交換するという面倒を回避することができ、更に非接触タイプなので金属端子が錆付く等を防ぐことができる。
【００１７】
本発明の一の形態によれば、前記充電器は、前記現在の時刻情報に関する時間情報の基礎となる標準電波を受信すると共に、前記時計に前記時間情報を提供できることを特徴とする。これにより、記録媒体を装着することで時計の時刻を表示する領域の背景のより自由なカスタマイズ化が図れると共に、例えば腕時計自体では標準電波を受信し時間情報を生成する必要がないので、腕時計自体をより小型化、軽量化できる。尚、「標準電波」とは、時間と周波数の標準、並びに協定世界時に基づく日本標準時を知らせる電波で通信総合研究所で運営しているものをいう。
【００１８】
本発明の他の観点に係る時計は、現在の時刻情報を生成する手段と、前記生成された現在の時刻情報に基づき時刻を表示する領域に時刻を表示する手段と、少なくとも前記時刻を表示する領域の背景情報を記録可能な記録媒体が着脱可能なインターフェース手段と、前記インターフェース手段に装着された記録媒体に記録された少なくとも前記背景情報に基づき、前記時刻を表示する領域の背景を表示する手段とを具備することを特徴とする。
【００１９】
本発明では、少なくとも時刻を表示する領域の背景情報を記録可能な記録媒体が着脱可能なインターフェース手段と、そのインターフェース手段に装着された記録媒体に記録された少なくとも背景情報に基づき、時刻を表示する領域の背景を表示する手段とを時計に有することとしたので、例えば時計自体は小型化しながら文字板に形成された背景のデザインを、記録媒体を装着することによって多種多様なデザインに変更でき、時計のカスタマイズ化が容易となる。
【００２０】
本発明の一の形態によれば、前記時刻を表示する手段は、前記インターフェース手段に装着された記録媒体に記録された少なくとも前記背景情報に基づき、表示できるものであることを特徴とする。これにより、例えば時刻を表示する領域のデザインも記録媒体に記録された背景情報等に基づいて表示できることなり、時計の時刻情報等の表示面全体のカスタマイズ化が容易となる。
【００２１】
本発明の一の形態によれば、前記時刻を表示する領域の背景を表示する手段は、前記生成された現在の時刻情報に基づき、前記記録媒体に記録された少なくとも前記背景情報の使用を規制する手段を有することを特徴とする。これにより、例えば他人のデザインである背景情報等を記録媒体に記録させ、その記録媒体を時計に装着して背景を表示させる場合に、時計自体による現在の時刻情報に基づき所定の時間に限りその背景を使用できるようにできるので、著作権の保護が図れる。
【００２２】
本発明の一の形態によれば、前記インターフェース手段は、時限管理情報を更に記録可能である前記記録媒体を装着可能であり、前記インターフェース手段に装着された記録媒体に記録された前記時限管理情報に基づき、所定の時刻に振動する手段を更に有することを特徴とする。これにより、例えば記録媒体を装着することで時計の時刻を表示する領域の背景をより自由にカスタマイズ化が図れると共に、例えばバイブレーター等により所定の時刻に腕時計を振動させることができ確実な時限管理が可能となる。しかも、例えば腕時計であれば何処でも直ちに豊富なスケジュールを視認できる等、その機能を自由に拡張できる。
【００２３】
本発明の一の形態によれば、前記インターフェース手段は、金銭管理情報を更に記録可能である前記記録媒体を装着可能であり、前記インターフェース手段に装着された記録媒体に記録された前記金銭管理情報を送信する手段を更に有することを特徴とする。これにより、記録媒体を装着することで時計の時刻を表示する領域の背景をより自由にカスタマイズ化が図れると共に、記録媒体に記録された金銭管理情報を外部電子機器とで送受信することができ、例えば腕時計を定期や金銭等の代わりとして使うことも可能となる。
【００２４】
本発明の一の形態によれば、少なくとも前記現在の時刻情報を生成するための駆動用電力源である２次電池の充電器から前記充電器と非接触で電圧の印加を受ける手段を更に具備することを特徴とする。これにより、記録媒体を装着することで時計の時刻を表示する領域の背景をより自由にカスタマイズ化が図れると共に、例えばカスタマイズ化により消費電力量が大きくなっても、電池をたびたび交換するという面倒を回避することができ、更に非接触タイプなので金属端子が錆付く等を防ぐことができる。
【００２５】
本発明の一の形態によれば、前記現在の時刻情報を生成する手段は、前記現在の時刻情報に関する時間情報の基礎となる標準電波を受信すると共に前記時間情報を提供できる前記充電器から提供される前記時間情報に基づき、前記現在の時刻情報を修正する手段を有するものであることを特徴とする。これにより、記録媒体を装着することで時計の時刻を表示する領域の背景をより自由にカスタマイズ化が図れると共に、例えば腕時計自体では標準電波を受信し時間情報を生成する必要がないので、腕時計自体をより小型化、軽量化できる。
【００２６】
【発明の実施の形態】
以下、本発明の実施の形態を図面に基づき説明する。尚、以下に実施形態を説明するにあたっては、時計システムの例として腕時計を中心に説明するが、これに限られるものではない。
【００２７】
図１は本発明の第１の実施形態に係る時計システムの概略外観図、図２は腕時計の制御部を中心とするブロック図、図３は腕時計に記録媒体を装着しない場合の標準背景が表示された状態の説明図、図４は時計システムの動作例の説明図及び図５は時計システムの動作例のフローチャートである。
【００２８】
図１及び図２に示すように時計システム１は、例えば腕時計２及びその腕時計２に着脱可能な記録媒体３等により構成されている。
【００２９】
ここで、記録媒体は記録素子として例えばフラッシュメモリを用いた記録媒体をいう（以下単に「記録媒体」という。）。
【００３０】
腕時計２は、例えば図１及び図２に示すように腕時計本体４及び腕時計用ベルト５を有し、腕時計本体４は腕時計２の各部に電力を供給する電源部６、操作情報や現在の時間を時分等で表示する時刻情報等を入出力する入出力部７、現在の時刻情報の生成等を行う時計部８、例えばバイブレーター等により腕時計本体４を振動させる振動部９、記録媒体３等との情報のやり取りをするインターフェース部１０及び情報の入出力や選択等の腕時計全体の動作を制御する制御部１１等を備えている。
【００３１】
また、電源部６は例えば各部へ電力を供給する図示しない２次電池等が備えられている。
【００３２】
更に入出力部７は、例えば時刻の調節や表示される情報の変更等の情報を入力する操作ボタン１２、現在の時刻情報やそのほかの情報を表示する画像表示装置１３等を有する。
【００３３】
ここで、画像表示装置１３は例えばカラー液晶表示装置が用いられ、そのカラー液晶装置の液晶パネルの表示面１４が図１に示すように腕時計本体４の表側に形成されている。
【００３４】
更に表示面１４には、例えば図１に示すように１時から１２時までを表す数字等（図１では、１２時と３時、６時及び９時の相当するところにマークが表示されている。）及び時針・分針等により構成される時刻を表示する領域１５とその背景を表示する領域１６等が形成されている。
【００３５】
尚、例えば操作ボタン１２の位置や個数更には表示面１４の位置や大きさ、時刻を表示する領域１５及び背景を表示する領域１６のデザイン等は説明の都合上のものであり図１に示すものに限られるものではない。
【００３６】
また、時計部８は図示しない例えば水晶振動子等により常時一定周波数の信号を発振する発振回路、その発振回路からの信号を分周して１Ｈｚ信号を生成する分周回路及びその１Ｈｚ信号を計数して現在の時刻情報、例えば何時何分といった情報を生成する計時回路等を有する。
【００３７】
更にインターフェース部１０は、図１及び図２に示すように記録媒体３と制御部１１等とを接続する第１インターフェース１７及びその記録媒体３の着脱ができるようにメモリスロット１８を備え、更に外部と信号のやり取りをして制御部１１等とを接続する第２インターフェース１９等を備えている。尚、第２インターフェース１９はケーブルによる接続或は無線でつなぐ方式、例えばＢｌｕｅｔｏｏｔｈ等に対応させることができる。これにより、より操作が容易となる。
【００３８】
次に制御部１１は、例えば図２に示すように演算と制御とをするＣＰＵ（Ｃｅｎｔｒａｌ  Ｐｒｏｃｅｓｓｉｎｇ  Ｕｎｉｔ）２０、必要に応じて一時的に時刻情報、背景情報、各種データ及びソフト等を記録し、腕時計２の制御をより円滑に行うＲＡＭ（Ｒａｎｄｏｍ  Ａｃｃｅｓｓ  Ｍｅｍｏｒｙ）２１、ＲＯＭ（Ｒｅａｄ  Ｏｎｌｙ  Ｍｅｍｏｒｙ）２２、データ格納部２３及び各種のソフトウエアが格納されたソフトウエア格納部２４等が備えられている。
【００３９】
ここで、データ格納部２３には例えば図２に示すように標準データ２５、履歴データ２６、認証データ２７、予定データ２８及び金銭データ２９等が夫々格納されている。
【００４０】
標準データ２５には、例えば記録媒体３がメモリスロット１８に装着されていない場合にも現在の時刻が表示面１４に表示されるように、時刻を表示する領域１５及び背景を表示する領域１６の一般的なデザインの情報が格納されている。例えば図３に示すように時刻を表示する領域１５には１時から１２時までの数字が表示され、背景を表示する領域１６には白色で無地に表示されるような一般的なデザインの情報である。
【００４１】
また、履歴データ２６は例えば有料のコンテンツの使用履歴情報等のデータであり、認証データ２７は例えば時計システム１の使用目的ごとの個人名、ＩＤ及びパスワード等のデータである。これによって、例えば商品の購入での金銭の支払いの代わりに、時計システム１を使用するときに使用者を特定できる等取引の安全を確保できる。
【００４２】
更に予定データ２８には、必要に応じて記録媒体３に記録されている例えばスケジュール表の情報のような何時何分にある手続きをする等の時限管理情報のデータが記録され、金銭データ２９は必要に応じて記録媒体３に記録されている例えば商品の購入等の支出や収入等の情報である金銭管理情報のデータが記録されている。
【００４３】
また、ソフトウエア格納部２４には例えば図２に示すように現時刻生成機構３０、入力情報読込み機構３１、画像生成機構３２、画像表示機構３３、表示規制機構３４、時限管理機構３５及び送受信機構３６等が格納されている。
【００４４】
ここで、現時刻生成機構３０はＣＰＵ２０の制御下例えば時計部８の発振回路、分周回路及び計時回路等により現在の時刻情報、例えば何時何分といった情報を生成することができる。
【００４５】
また、入力情報読込み機構３１はＣＰＵ２０の制御下例えばインターフェース部１０を介して入力された情報を読込み、その情報内容例えば時刻を表示する領域１５や背景を表示する領域１６等の情報及び背景情報等の使用条件等の情報を画像生成機構３２、画像表示機構３３、表示規制機構３４及び時限管理機構３５等に受け渡すことができる。
【００４６】
更に入力情報読込み機構３１は、ＣＰＵ２０の制御下例えば入出力部７の操作ボタン１２等からの入力情報を読込み、記録媒体３に記録された背景情報等によるデザインの内どのデザインを選択するかの情報や表示面１４に表示する情報の変更等の情報等を画像生成機構３２、画像表示機構３３、表示規制機構３４及び時限管理機構３５等に受け渡すこともできる。
【００４７】
また、画像生成機構３２はＣＰＵ２０の制御下例えば入力情報読込み機構３１から背景を変更するとの情報を受取ったときは、メモリスロット１８からの情報により記録媒体３が装着されたか判断することができる。
【００４８】
更に画像生成機構３２は、ＣＰＵ２０の制御下例えば入力情報読込み機構３１から背景を特定する情報を受取ったときは、その背景のデザインを使用する場合の使用条件例えば特定会員のみの使用可能であるとかの条件等に適合するか判断することができる。この場合、必要に応じてＣＰＵ２０の制御下例えばデータ格納部２３から認証データを入力情報読込み機構３１に読み出させ、画像生成機構３２に受け渡させることもできる。
【００４９】
また、画像生成機構３２はＣＰＵ２０の制御下例えば入力情報読込み機構３１により受け渡された時刻を表示する領域の背景情報等と現時刻生成機構３０から受取った現在の時刻情報とを合成し腕時計２の表示面１４に表示される一つのデザイン情報として画像を生成することができる。
【００５０】
更に画像表示機構３３は、ＣＰＵ２０の制御下例えば画像生成機構３２から受け渡された背景情報等と現在の時刻情報とを合成し生成された文字情報等を含む画像を、画像表示装置１３の表示面１４に表示させることができる。
【００５１】
また、画像表示機構３３はＣＰＵ２０の制御下例えば後述する表示規制機構３４から表示中の背景情報の使用を終了するとの情報を受け取ったときは、その背景情報を使用した生成画像の表示を終了する。そして、データ格納部２３の標準データ２５から時刻を表示する領域１５及び背景を表示する領域１６の一般的なデザインの情報を読み出して、画像表示装置１３の表示面１４に例えば図３に示すように表示させることができる。
【００５２】
更に画像表示機構３３は、ＣＰＵ２０の制御下例えば後述する時限管理機構３５或は送受信機構３６等からの新たな情報を表示するとの情報が受け渡されたときは、背景情報等と現在の時刻情報とを合成し生成された文字情報を含む画像の表示を一時停止する。そして、時限管理機構３５或は送受信機構３６等から受け渡される新しい画像を画像表示装置１３の表示面１４に表示させることができる。
【００５３】
表示規制機構３４は、ＣＰＵ２０の制御下例えば入力情報読込み機構３１から受け渡された表示面１４に表示している背景の使用条件等の情報から、その背景が所定の期間でのみ使用できるものであるときは、時計部８や現時刻生成機構３０からの情報により使用開始からの通算時間等を取得し、表示中の背景情報の使用可能期間が終了するか否か判断し、その結果を画像表示機構３３に受け渡す。これにより、画像表示機構３３は表示中の背景情報の使用を終了するか否か判断し、終了することとなったときは、ＣＰＵ２０の制御下その表示を終了させることとなる。
【００５４】
その場合、その背景のデザインは使用が許された条件でのみ表示されることとなるのでそのデザインの著作権の保護が図れる。
【００５５】
具体的には、表示規制機構３４は例えば一時的にＲＡＭ２１等に記録されたその背景情報を削除すると共に、記録媒体３にその背景情報の使用期間が終了したことの情報を記録させることによって不正なデザインの使用を防止でき、著作権の保護の強化が図れる。
【００５６】
更に表示規制機構３４では、例えばそのデザイン自体は暗号化し、許された期間のみその暗号化されたデザインの復号化のための解読鍵を使用できるようにすることもできる。
【００５７】
また、時限管理機構３５はＣＰＵ２０の制御下例えば記録媒体３から入力情報読込み機構３１により読込まれたスケジュール表の時刻情報と現時刻生成機構３０からの時刻情報とを比較し、同一となったか判断し同一となったと判断したときはその情報をＣＰＵ２０に伝え、振動部９に腕時計本体４を振動させることができる。更にいつでも操作ボタン１２からの入力情報により、記録媒体３に記録された例えばスケジュール表を腕時計２の表示面１４に表示させることができる。
【００５８】
これにより、いつでもスケジュール表を確認でき一々手帳等を引っ張り出す手間も省けることとなる。
【００５９】
送受信機構３６は、ＣＰＵ２０の制御下例えば記録媒体３から入力情報読込み機構３１により読込まれた交通機関等の定期の情報を画像表示機構３３に受渡し表示面１４に表示させると共に、第２インターフェース１９を介し外部機器に送信することができる。
【００６０】
また、逆にその外部機器からの情報を受信し画像表示機構３３に受渡し表示面１４に表示させると共に、記録媒体３に記録させることもできる。これによって、交通機関等の定期のみならず例えば暗号化された情報を利用して、安全に電子マネーとして時計システム１を利用でき、常に身に付けておりなくすこともなくかつ直ちに使用でき小銭のわずらわしさからも開放される。
【００６１】
次に、以上のように構成された時計システム１の動作を腕時計２による表示面１４の背景の表示を中心に説明する。
【００６２】
まず、前提として例えば図４に示すように有料の背景情報をＷｅｂ（Ｗｏｒｌｄ  Ｗｉｄｅ  Ｗｅｂの略）のコンテンツからインターネット等のネットワーク５１を介してパーソナルコンピュータ５２のハードディスクに、その使用条件等の情報と共に一旦ダウンロードする。
【００６３】
そして、パーソナルコンピュータ５２のメモリスロット５３に記録媒体３を装着し、ハードディスクに記録した背景情報及び使用条件等の情報を記録媒体３に記録する。ここで、適正に記録媒体３に記録できたときはパーソナルコンピュータ５２のハードディスクに一旦記録された背景情報及び使用条件等の情報は、削除されるものとすることもできる。これによって、保護されるべき背景情報は記録媒体３にのみ記録されるので著作権の保護が図れることとなる。
【００６４】
次に、背景情報が記録された記録媒体３を腕時計２に装着し時刻等を表示面１４に表示させて使用するときの動作について説明する。
【００６５】
まず、腕時計２の表示面１４には操作ボタン１２から背景の変更等の入力情報が腕時計２の制御部１１になければ、データ格納部２３の標準データ２５から読み出された時刻を表示する領域１５及び背景を表示する領域１６の一般的なデザインが、例えば図３に示すように表示されている（ＳＴ１０１）。
【００６６】
ここで、ＣＰＵ２０は例えば操作ボタン１２からの入力情報があったときは入力情報読込み機構３１に読込ませ、その内容を判断させる。そして、ＣＰＵ２０は入力情報読込み機構３１が腕時計２の表示面１４の背景を表示する領域１６のデザインを変更する情報であると判断したとき（ＳＴ１０２）は、画像生成機構３２にその情報を受け渡させる。
【００６７】
また、ＣＰＵ２０は例えば入力情報読込み機構３１から背景を表示する領域１６のデザインを変更するとの情報を受取ったときは、画像生成機構３２にメモリスロット１８からの情報により記録媒体３が装着されたか判断させる（ＳＴ１０３）。
【００６８】
ＣＰＵ２０は、例えば記録媒体３がメモリスロット１８に装着されていないと画像生成機構３２に判断させた場合は、画像生成機構３２によって画像表示機構３３にエラー表示させ、ＳＴ１０３の前に戻らせる。
【００６９】
更にＣＰＵ２０は、画像生成機構３２に記録媒体３がメモリスロット１８に装着されていると判断させたときは、入力情報読込み機構３１にその記録媒体３に記録された背景を表示する領域１６のデザイン情報である背景情報及び使用条件等の情報を読み出させる。
【００７０】
また、ＣＰＵ２０は画像生成機構３２にその読み出された背景情報による背景を画像表示機構３３により表示面１４に表示させ、例えば操作ボタン１２の操作により次々と表示画面を切り換えて表示させることによって、希望の背景を選択させることができる（ＳＴ１０４）。
【００７１】
更にＣＰＵ２０は、画像生成機構３２に変更する背景が決定されたか判断させる（ＳＴ１０５）。例えば所定の時間内に操作ボタン１２の操作により背景が特定され、その特定情報が画像生成機構３２に入力情報読込み機構３１から受け渡されない場合は、変更する背景が決定されなかったものとすることができる。この場合は、ＣＰＵ２０は例えば画像生成機構３２によって画像表示機構３３にエラー表示させ、ＳＴ１０２の前に戻らせる。
【００７２】
また、ＣＰＵ２０は例えば画像生成機構３２に特定された背景の使用条件等の情報とデータ格納部２３の履歴データ２６によるデータとか、認証データ２７によるＩＤやパスワード等のデータとを必要に応じて比較させることができる。そして、画像生成機構３２にその使用条件に適合しているか判断させ、適合する場合に変更する背景が決定されたものと判断させることもできる。
【００７３】
これにより、特定のユーザーにのみ背景情報を使用させることができ、著作権の保護をより強化できる。この場合も、使用条件に適合しないと判断されたときは、ＣＰＵ２０は例えば画像生成機構３２によって画像表示機構３３にエラー表示させ、ＳＴ１０２の前に戻らせる。
【００７４】
また、ＣＰＵ２０は例えば画像生成機構３２に受取った背景情報等と時計部８や現時刻生成機構３０から受取った現在の時刻情報とを合成し腕時計２の表示面１４に表示される一つのデザイン情報として画像を生成させる（ＳＴ１０６）。
【００７５】
更にＣＰＵ２０は、例えば画像生成機構３２に生成した画像を画像表示機構３３に受け渡らせ、画像表示機構３３に画像生成機構３２から受け渡された背景情報等と現在の時刻情報とを合成し生成された文字情報等を含む画像を画像表示装置１３の表示面１４に表示させる（ＳＴ１０７）。これによって、例えば複数の背景情報等を記録した記録媒体３から使用条件等に適合すれば、自由に腕時計２の背景のデザインを表示することができ、腕時計２のカスタマイズ化が図れる。
【００７６】
また、ＣＰＵ２０は記録媒体３に記録された背景情報が現在の時刻や季節に合わせ背景のデザインを変更させるように生成されていれば、例えば４月は桜のデザインというようにその月々の草花のデザインを画像生成機構３２により現時刻生成機構３０等からの時刻情報に適合させ、画像表示機構３３に受渡して表示面１４に表示させることもできる。
【００７７】
次に、ＣＰＵ２０は例えば画像表示機構３３に現在表示中の画像の表示を一時停止させるか判断させることができる（ＳＴ１０８）。例えば画像表示機構３３が、時限管理機構３５或は送受信機構３６等から新たな情報を表示するとの情報を受けたときは、画像表示機構３３に現在表示中の画像の表示を一時停止するように判断させる。
【００７８】
ここで、ＣＰＵ２０は所定時間内に画像表示機構３３に新しい情報が受け渡されなかったときは、画像表示機構３３に現在表示中の画像の表示を一時停止させないものと判断させ、ＳＴ１１１に進むこととなる。
【００７９】
また、ＣＰＵ２０は画像表示機構３３に現在表示中の画像の表示を一時停止させたときは、時限管理機構３５或は送受信機構３６等から受け渡される新しい画像を画像表示装置１３の表示面１４に表示させる（ＳＴ１０９）。
【００８０】
例えばＣＰＵ２０は、時限管理機構３５に記録媒体３から入力情報読込み機構３１により読込まれたスケジュール表等を画像表示機構３３を介して、時刻情報に替えて表示面１４に表示させたり、或は表示する領域を分けて両方表示させたりすることができる。これにより、いつでもスケジュール表を確認でき一々手帳等を引っ張り出す手間も省けることとなる。
【００８１】
更にＣＰＵ２０は、時限管理機構３５に記録媒体３からのスケジュール表等の時刻情報と現時刻生成機構３０からの時刻情報とを比較し、同一となったか判断し同一となったと判断したときはその情報をＣＰＵ２０に伝えさせ、振動部９に腕時計本体４を振動させることができる。
【００８２】
また、ＣＰＵ２０は送受信機構３６に例えば記録媒体３から入力情報読込み機構３１により読込まれた交通機関等の定期の情報を画像表示機構３３に受渡し表示面１４に表示させると共に、第２インターフェース１９を介し外部機器に送信することができる。更に逆に、その外部機器からの情報を受信し画像表示機構３３に受渡し表示面１４に表示させると共に、記録媒体３に記録させることもできる。
【００８３】
次に、ＣＰＵ２０は画像表示機構３３に現在表示中の画像の表示を終了させて元の背景等の表示に戻らせるか判断させる（ＳＴ１１０）。例えば所定の時間内に操作ボタン１２の操作により元の背景等の表示に戻るとの入力情報がなかった場合には、画像表示機構３３に元の背景等の表示に戻らせないものと判断させ、そのまま現在表示中の画像を表示させる。
【００８４】
また、ＣＰＵ２０は操作ボタン１２の操作により元の背景等の表示に戻るとの入力情報があったときは、画像表示機構３３に現在表示中の画像の表示を終了させて元の背景等の表示に戻るものと判断させ、画像表示機構３３に現時刻生成機構３０からの現在の時刻情報や元の背景情報等の画像を表示面１４に表示させる（ＳＴ１１１）。これによって、本来の腕時計２としての機能を損なうことなく多様な機能を付加し拡張することができる。
【００８５】
更にＣＰＵ２０は、例えば表示規制機構３４に入力情報読込み機構３１から受け渡された表示面１４に表示している背景の使用条件等の情報から、その背景が所定の期間でのみ使用できるものであるときは、時計部８や現時刻生成機構３０からの情報により使用開始からの通算時間等を取得し、表示中の背景情報の使用可能期間が終了するか否か判断させる。
【００８６】
そして、表示規制機構３４にその結果を画像表示機構３３に受け渡させる。これにより、ＣＰＵ２０は画像表示機構３３に表示中の背景情報の使用を終了するか否か判断させ（ＳＴ１１２）、終了すると判断させたときは画像表示機構３３に選択した背景等の画像の表示面１４への表示を終了させる（ＳＴ１１３）。これによって、その背景のデザインは使用が許された条件でのみ表示されることとなるのでそのデザインの著作権の保護が図れる。
【００８７】
具体的には、表示規制機構３４は例えば一時的にＲＡＭ２１等に記録されたその背景情報を削除すると共に、記録媒体３にその背景情報の使用期間が終了したことの情報を記録させることによって不正なデザインの使用を防止でき、著作権の保護の強化が図れる。
【００８８】
また、ＣＰＵ２０は操作ボタン１２の操作により表示中の背景等のデザインの使用を終了させるとの情報が入力されたときも、入力情報読込み機構３１にその情報を画像表示機構３３に受け渡らせ、画像表示機構３３に表示中の背景情報の使用を終了するか否か判断させ（ＳＴ１１２）、終了すると判断させたときは画像表示機構３３に選択した背景等の画像の表示面１４への表示を終了させる（ＳＴ１１３）。
【００８９】
更にＣＰＵ２０は、画像表示機構３３に表示中の背景情報の使用を終了させたときは、その選択された背景情報等の前に表示されていた例えばデータ格納部２３の標準データ２５から読み出された時刻を表示する領域１５及び背景を表示する領域１６の一般的なデザインが、例えば図３に示すように表示させることとなる（ＳＴ１１４）。
【００９０】
以上で腕時計２による表示面１４の背景の表示を中心とする時計システム１の動作は終了する。
【００９１】
このように本実施形態によれば、少なくとも時刻を表示する領域の背景情報を記録可能な記録媒体３と、現在の時刻情報を生成する手段、それにより生成された現在の時刻情報に基づき時刻を表示する領域に時刻を表示する手段、記録媒体３が着脱可能なインターフェース手段及びそのインターフェース手段に装着された記録媒体３に記録された少なくとも背景情報に基づき、時刻を表示する領域の背景を表示する手段を有する時計とを別々のものとして時計システム１を構成したので、例えば腕時計２自体は小型化しながら表示面１４に表示された例えば背景等のデザインを、記録媒体３を装着することによって多種多様なデザインに変更でき、腕時計２のカスタマイズ化が可能となる。
【００９２】
また、例えば背景情報等と現在の時刻情報とを合成し腕時計２の表示面１４に表示される一つのデザイン情報として画像生成機構３２に画像を生成させることとしたので、時刻を表示する領域のデザインも記録媒体に記録された背景情報等に基づいて表示できることなり、時計の時刻情報等の表示面全体のカスタマイズ化が図れる。
【００９３】
更に記録媒体３に少なくとも背景情報を編集して記録することができることとしたので、例えば腕時計２のユーザーがパーソナルコンピュータ等で背景情報等を自由に編集して記録媒体３に記録させ、その記録させた記録媒体３を腕時計２に装着することにより腕時計２の時刻情報等の表示面全体のカスタマイズ化がより図れる。
【００９４】
また、時刻を表示する領域の背景を表示する例えば画像表示機構３３は、現在の時刻情報に基づき記録媒体３に記録された少なくとも背景情報の使用条件等の情報による表示規制機構３４の判断により、その背景情報による背景の表示を終了させることとしたので、認められた時間に限りその背景を使用できるようになり、腕時計２の表示面１４のカスタマイズ化を図りながら著作権を保護できる。
【００９５】
更に記録媒体３は、例えば時限管理情報を更に記録可能であり、腕時計２はインターフェース部１０に装着された記録媒体３に記録された時限管理情報に基づき所定の時刻に振動させる振動部９を更に有することとしたので、記録媒体３を装着することで腕時計２の時刻を表示する領域の背景のより自由なカスタマイズ化が図れると共に、例えばバイブレーター等により確実な時限管理が可能で、しかも直ちに豊富なスケジュールを視認できる等、腕時計２の機能を拡張できる。
【００９６】
また、記録媒体３は金銭管理情報を更に記録可能であり、腕時計２はインターフェース部１０に装着された記録媒体３に記録された金銭管理情報を送信する手段を更に有することとしたので、記録媒体３を装着することで腕時計２の時刻を表示する領域の背景のより自由なカスタマイズ化が図れると共に、例えば記録媒体３に記録された金銭管理情報を外部受信機に送信することができ、腕時計２が定期や金銭等の代わりとして使うことも可能となる。
【００９７】
次に、本発明の第２の実施形態にかかる時計システムについて説明する。本実施形態についても第１の実施形態と同様に時計システムの例として腕時計について説明する。尚、第２の実施形態は充電器で腕時計の２次電池等に電圧を印加する点と、そのとき標準電波による時間情報の受取る点とを除けば第１の実施形態とほぼ同様であるので、その異なる点を中心に説明しその他はその説明を省略する。また、以下の説明で第１の実施形態で示した構成要素と同一の構成要素については同一の符号を付すものとし、その説明を省略する。
【００９８】
図６は本発明の第２の実施形態に係る時計システムの概略説明図、図７は第２の実施形態に係る腕時計の制御部を中心とするブロック図、図８は充電動作のフローチャート及び図９は標準電波による現時刻の修正のフローチャートである。
【００９９】
図６に示すように時計システム１０１は、例えば腕時計２、その腕時計２に着脱可能な記録媒体３及びその腕時計２が有する２次電池を充電する充電器１０２等により構成されている。
【０１００】
ここで、腕時計２は例えば図１、図６及び図７に示すように電源部６に２次電池４１及び２次コイル４２等を有し、データ格納部２３に第１の実施形態のデータの他に電圧データ３９、ソフトウエア格納部２４に第１の実施形態のソフトウエアの他に充電機構３７及び現時刻修正機構３８を有する。
【０１０１】
２次電池４１は、繰り返し充電して使える電池でありＣＰＵ２０の制御下腕時計２の各部へ電力を供給している。例えばリチウムイオン２次電池等がある。
【０１０２】
また、２次コイル４２はＣＰＵ２０の制御下例えば充電器１０２の後述する１次コイルによって発生した磁束で、ファラデーの電磁誘導則に基づき誘起電圧を生じさせるものであり、これを整流して２次電池４１の充電用電圧とすることができる。
【０１０３】
更に電圧データ３９は、例えば充電機構３７が２次電池４１の出力電圧が所定の電圧値より不足しているか否か、或はその電圧値に到達したか否か判断する際の、その基準となる電圧値のデータが記録されている。
【０１０４】
また、充電機構３７はＣＰＵ２０の制御下例えば２次電池４１の出力電圧が所定の電圧値より不足しているかどうか判断し、不足していると判断したきはその情報を入出力部７や画像表示機構３３に受け渡すことができる。これによって、例えばＬＥＤ（Ｌｉｇｈｔ  Ｅｍｉｔｔｉｎｇ  Ｄｉｏｄｅ）や画像表示装置１３の表示面１４等により充電が必要であることをユーザーに伝えたりできる。
【０１０５】
更に充電機構３７は、ＣＰＵ２０の制御下例えば充電器１０２の後述する１次コイルによる磁束により、２次コイル４２に交流電圧が誘起されたときは２次電池４１にかかる電圧を監視し、必要以上に大きくなり２次電池４１が破壊されないようにできる。また、ＣＰＵ２０の制御下例えば２次電池の出力電圧が腕時計２の各部の駆動に支障がないものとなったときは、その情報をＬＥＤや画像表示装置１３の表示面１４等によりユーザーに伝えることができる。
【０１０６】
更に現時刻修正機構３８は、ＣＰＵ２０の制御下例えば第２インターフェース１９から入力された充電器１０２により生成された現在の時、分、秒等の情報である時間情報を受取ったときは、その受取った時間情報による時刻情報と現時刻生成機構３０により生成された時刻情報を比較する。
【０１０７】
その結果現時刻修正機構３８が、双方の時、分等が一致しないと判断したときは標準電波による時刻情報に腕時計２の現時刻情報を修正させることができる。これにより、腕時計２自体に受信回路等の時間情報を生成するため回路等が不要となるので腕時計２をよりコンパクトにできると共に、腕時計の置く場所等をそのたびごとに選ぶ必要もなくなり、時刻調整のための手間がより無くなる。
【０１０８】
次に、充電器１０２は例えば図６に示すように腕時計２の表示面１４が表側になるように充電器１０２の上面に載せることができるように形成されており、その腕時計２の裏面に近接するように設けられた１次コイル１０３、操作情報や充電の進行情報等を入出力する入出力部１０４、腕時計２等と情報のやり取りをするインターフェース部１０５、標準電波を受取るアンテナ１０６、アンテナ１０６からの電気信号から特定周波数のものを選択し増幅する受信回路１０７及び情報の入出力等により充電器１０２全体の動作を制御する制御部１０８等を備えている。
【０１０９】
ここで、１次コイル１０３は制御部１０８の制御下例えば交流電流を通すことによってそのコイル近くに磁束を発生させ、これによって腕時計側の２次コイルに誘起電圧を生じさせることができる。
【０１１０】
また、入出力部１０４は例えば充電動作や現時刻修正動作等を操作する図示しない操作ボタンやそれらの進行状況を知らせる図示しない表示部等を有する。
【０１１１】
更にインターフェース部１０５は、制御部１０８の制御下例えば腕時計２等と充電器１０２とを接続し、標準電波にのせられている秒、分、時等の時間情報等のやり取りを可能とする。
【０１１２】
また、アンテナ１０６は例えば電波局から送信された標準電波を受け、これを電気信号に変換し受信回路１０７に受け渡すことができる。
【０１１３】
更に制御部１０８は、例えば図示しないＣＰＵやデータ格納部等を有し腕時計２が所定の位置にセットされたとの情報を受けたときは、所定の交流電流を１次コイル１０３に通電させ磁束を発生させることができる。
【０１１４】
また、制御部１０８は例えば１次コイル１０３に交流電流が通電されたか判断し、通電されたと判断したときは標準電波の受信を開始させることができる。これにより、一々充電器１０２の操作ボタン等を操作しなくても腕時計２に秒、分、時等の時間情報が送られるので、ユーザーが時刻調整をし忘れることがなく確実に正しい時刻を表示できることとなる。
【０１１５】
更に充電中に標準電波をアンテナ１０６より受信させ、その標準電波を電気信号化させて受信回路１０７によりその電気信号から特定周波数を選択させることができる。そして、選択され増幅された標準電波を基礎にして秒、分、時等の時間情報を生成し、その時間情報をインターフェース部１０５を介し腕時計２の制御部１１に送信することができる。
【０１１６】
次に、以上のように構成された時計システム１０１の動作を腕時計２の動作を中心に説明する。尚、第２の実施形態の動作では充電器で腕時計の２次電池等に電磁誘導で電圧を印加する点と、腕時計２が充電器１０２からの標準電波による時間情報を受取り現時刻を修正する点とを除けば、第１の実施形態の動作とほぼ同様であるので、その異なる点を中心に説明しその他はその説明を省略する。また、以下の説明で第１の実施形態で示した構成要素と同一の構成要素については同一の符号を付すものとし、その説明を省略する。
【０１１７】
まず、充電器で腕時計の２次電池等に電磁誘導で電圧を印加する動作について説明する。
【０１１８】
まず、図７及び図８に示すように腕時計２のＣＰＵ２０は、例えば充電機構３７に定期的に２次電池４１の出力電圧が所定の電圧値より不足しているかどうか判断させる（ＳＴ２０１）。ここで、充電機構３７が２次電池４１の出力電圧が所定の電圧値より不足していないと判断したときは、充電する必要がないので充電動作は終了する。
【０１１９】
一方、充電機構３７が出力電圧が不足していると判断したきはＣＰＵ２０は、例えばその情報を入出力部７や画像表示機構３３に受け渡させる。これによって、例えばＬＥＤ（Ｌｉｇｈｔ  Ｅｍｉｔｔｉｎｇ  Ｄｉｏｄｅ）や画像表示装置１３の表示面１４等により充電が必要であることを表示することができ（ＳＴ２０２）る。
【０１２０】
また、充電が必要であるとの表示を見たユーザーは例えば図６に示すように腕時計２の表示面１４が表側になるように充電器１０２の上面に載せ、腕時計２を充電器１０２にセットする（ＳＴ２０３）。
【０１２１】
次に、充電器１０２の電源を投入する（ＳＴ２０４）と、充電機器側の制御部１０８は充電器１０２の所定の位置に腕時計２がセットされたか判断する（ＳＴ２０５）。
【０１２２】
例えば腕時計２が、腕時計２の２次コイル４２が充電器１０２の１次コイル１０３に近接するように所定の位置にセットされたとき、圧力に反応するスイッチが導通され、その情報を制御部１０８が受取り腕時計２がセットされたか判断できる。
【０１２３】
ここで、制御部１０８が充電器１０２の所定の位置に腕時計２がセットされていないと判断したときは、入出力部１０４にその情報を受渡し例えば図示しない表示部にエラー表示させ、ＳＴ２０５の前に戻らせることができる（ＳＴ２０６）。
【０１２４】
また、制御部１０８が充電器１０２の所定の位置に腕時計２がセットされていると判断したときは、制御部１０８は１次コイル１０３に所定の交流電流を通電させ（ＳＴ２０７）、２次コイル４２付近に磁束を発生させることができる。
【０１２５】
これにより、ＣＰＵ２０は腕時計２の２次コイル４２に交流電圧が誘起されたときは２次電池４１にかかる電圧を充電機構３７に検出させ、必要以上に大きくなり２次電池４１が破壊されないように２次電池４１の充電を開始する（ＳＴ２０８）。このとき、ＣＰＵ２０は充電機構３７に画像表示機構３３によって表示面１４に充電中の情報を表示させることもできる。これによって、いつまで充電が掛かるか知ることができる。
【０１２６】
また、ＣＰＵ２０は２次電池４１の出力電圧を充電機構３７に検出させ、データ格納部２３の電圧データ３９に記録された例えば腕時計２の各部の駆動に支障がない出力電圧値と比較させる。これにより、ＣＰＵ２０は充電機構３７に２次電池の出力電圧値が記録された電圧値と同じになったかどうかで２次電池４１の出力電圧が適正かどうか判断させることができる（ＳＴ２０９）。
【０１２７】
ここで、ＣＰＵ２０は充電機構３７がまだ２次電池４１の出力電圧が適正の値になっていないと判断したときは、充電機構３７に画像表示機構３３によって表示面１４に充電中の情報を続けて表示させ、充電を継続させる。
【０１２８】
また、ＣＰＵ２０は充電機構３７が２次電池４１の出力電圧が適正の値になったと判断したときは、例えば所定の時間更に定電圧充電を行ってから充電機構３７に２次電池４１への電圧印加を終了させ、充電を終了させる（ＳＴ２１０）。
【０１２９】
更にＣＰＵ２０は、充電機構３７に２次電池４１への充電を終了させたときは、その情報をＬＥＤや画像表示装置１３の表示面１４等により表示させる（ＳＴ２１１）。
【０１３０】
これにより、充電終了の表示を見たユーザーは腕時計２を充電器１０２から外し（ＳＴ２１２）、腕時計２が外されたと充電器側の制御部１０８が例えば圧力を感知するスイッチにより判断したとき（ＳＴ２１３）は、１次コイル１０３への交流電流の通電を終了させる（ＳＴ２１４）。
【０１３１】
また、ユーザーが最後に充電器１０２の電源を切る（ＳＴ２１５）ことによって、充電器１０２で腕時計２の２次電池４１に電磁誘導で電圧を印加し充電する動作を終了する。
【０１３２】
次に、腕時計２が標準電波による時間情報を受取り現時刻を修正する動作について説明する。
【０１３３】
まず、前提として例えば充電器１０２による腕時計２の２次電池４１への充電中として説明する。
【０１３４】
充電器側の制御部１０８は、図９に示すように例えば充電動作での電源の投入後、短い時間間隔で定期的に１次コイルに所定の交流電流が通電されたか判断する（ＳＴ３０１）。通電されていないと判断したときは、最初に戻り、通電されていると判断したときは充電器１０２の所定の位置に腕時計２がセットされているか判断する（ＳＴ３０２）。
【０１３５】
例えば腕時計２が、最もよく充電器１０２からの情報を入手できるように所定の位置にセットされたとき、圧力に反応するスイッチが導通され、そのスイッチの情報を制御部１０８が受取り、腕時計２がセットされたか判断できる。
【０１３６】
ここで、制御部１０８が充電器１０２の所定の位置に腕時計２がセットされていないと判断したときは、入出力部１０４にその情報を受渡し例えば図示しない表示部にエラー表示させ（ＳＴ３０３）、ＳＴ３０２の前に戻らせる。
【０１３７】
また、制御部１０８が充電器１０２の所定の位置に腕時計２がセットされていると判断したときは、制御部１０８は標準電波をアンテナ１０６より受信させ（ＳＴ３０４）、その標準電波を電気信号化させて受信回路１０７によりその電気信号から特定周波数を選択させることができる。そして、選択され増幅された標準電波から秒、分、時等の時間情報を生成する（ＳＴ３０５）。
【０１３８】
更に制御部１０８は、その時間情報をインターフェース部１０５を介し腕時計２の制御部１１に送信する（ＳＴ３０６）。
【０１３９】
次に、腕時計側のＣＰＵ２０は例えば第２インターフェース１９を介し受信した（ＳＴ３０７）時間情報を入力情報読込み機構３１に読込ませ、その読込ませた情報を現時刻修正機構３８に受け渡させる。
【０１４０】
すると腕時計側のＣＰＵ２０は、現時刻修正機構３８が受取った例えば充電器１０２により生成された現在の時、分、秒等の情報である時間情報と現時刻生成機構３０により生成された時刻情報の時、分、秒等を比較し、双方が一致するか否か判断させる（ＳＴ３０８）。
【０１４１】
その結果、腕時計側のＣＰＵ２０は現時刻修正機構３８が、双方の時、分等が一致しないと判断したときは標準電波による時間情報に腕時計２の現時刻情報を修正させる（ＳＴ３０９）。これにより、腕時計２自体に受信回路等の時間情報を生成するため回路等が不要となるので腕時計２をよりコンパクトにできると共に、腕時計の置く場所等をそのたびごとに選ぶ必要もなくなり、時刻調整のための手間がより無くなる。更に必要に応じて、現在の時刻修正の履歴をデータ格納部２３の履歴データ２６に記録させることもできる。
【０１４２】
また、腕時計側のＣＰＵ２０は現時刻修正機構３８が、双方の時、分等が一致すると判断したときは、その情報を例えば画像表示機構３３により画像表示装置１３の表示面１４に表示させて、現時刻を修正する動作を終了させることもできる。
【０１４３】
以上で、腕時計２が標準電波による時間情報を受取り現時刻を修正する動作を終了する。
【０１４４】
このように本実施形態によれば、少なくとも時刻を表示する領域の背景情報を記録可能な記録媒体３と、現在の時刻情報を生成する手段、それにより生成された現在の時刻情報に基づき時刻を表示する領域に時刻を表示する手段、記録媒体が着脱可能なインターフェース手段及びそのインターフェース手段に装着された記録媒体に記録された少なくとも背景情報に基づき、時刻を表示する領域の背景を表示する手段を有する時計とを別々のものとして時計システム１０１を構成したので、例えば腕時計２自体は小型化しながら表示面１４に表示された例えば背景等のデザインを、記録媒体３を装着することによって多種多様なデザインに変更でき、腕時計２のカスタマイズ化が可能となる。
【０１４５】
また、腕時計２に備えられた少なくとも現在の時刻情報を生成するための駆動用電力源である２次電池４１の充電手段を更に有し、その充電手段は腕時計２に非接触で２次電池４１に電圧を印加可能な充電器１０２であるので、記録媒体３を装着することで腕時計２の時刻を表示する領域の背景のより自由なカスタマイズ化が図れると共に、例えばカスタマイズ化により消費電力量が大きくなっても、電池をたびたび交換するという面倒を回避することができ、更に非接触タイプなので金属端子が錆付く等を防ぐことができる。
【０１４６】
更に充電器１０２は、標準電波を受信すると共に腕時計２に現在の時、分、秒等の情報である時間情報を提供できるので、記録媒体３を装着することで腕時計２の時刻を表示する領域の背景のより自由なカスタマイズ化が図れると共に、例えば腕時計自体では標準電波を受信し時間情報を生成する必要がないので、腕時計自体をより小型化、軽量化できる。
【０１４７】
また、例えば充電器１０２の制御部１０８により１次コイル１０３に交流電流が通電されたと判断したときに、標準電波を受信し時間情報を生成し腕時計２に送付することとしたので、一々充電器１０２の操作ボタン等を操作しなくても腕時計２に秒、分、時等の時間情報が送られ、ユーザーが時刻調整をし忘れることがなく確実に正しい時刻を表示できることとなる。
【０１４８】
尚、本発明は上述したいずれの実施形態にも限定されず、本発明の技術思想の範囲内で適宜変更して実施できる。
【０１４９】
例えば上述した実施形態では、腕時計２の時刻等を表示する方法としてアナログ仕様を中心として説明したがこれに限られるものではなく、デジタル仕様で時刻等を表示させる場合でもよい。例えば時刻を表示する領域にはデジタル仕様に時刻を表す数字が表示され、その時刻を表示する領域の背景情報として色々なデザイン等が表示される場合も、これらのデザイン等が記録媒体３に記録されており、腕時計２のメモリスロット１８に装着するだけで、その豊富なデザインを表示できることとなり、デジタル仕様の腕時計２においてもその表示面１４の表示内容をカスタマイズ化できる。勿論、アナログ仕様とデジタル仕様の双方を表示させるハイブリッド仕様も可能である。これによって、更に表示面１４の表示内容をカスタマイズできる。
【０１５０】
また、記録媒体３には時刻を表示する領域の背景情報だけではなくその時刻情報も含め種種の情報を記録できる。これによって、例えば時刻情報の時針、分針及び秒針がステップモータや減速輪列系等により機械的に動かされる場合だけでなく、時針、分針及び秒針自体も液晶パネルによって表示する場合も、その時針、分針及び秒針自体、更にはその時針等が指し示す１時から１２時までの数字等の表記自体も、記録媒体３をメモリスロット１８に挿入することにより、自由に表示面１４のデザインのカスタマイズ化できる。
【０１５１】
更に上述した実施形態では、時計の時刻等の表示面１４のデザイン等を中心に説明したがこれに限られるものではなく、時計以外の電子機器であっても時計機能を有し時刻情報を表示できるものであれば、本発明を適用できる。これによって、時計機能を有する電子機器の機能をより拡大できる。
【０１５２】
また、時刻情報等の表示面１４への表示手段も液晶パネルに限られるものではなく、ほかの表示方法例えばプラズマディスプレイ（ＰＤＰ）等であってもよい。これにより、種種の用途に適用できその時計のカスタマイズ化が図れる。
【０１５３】
更に上述した実施形態では、例えば充電器１０２の制御部１０８により１次コイル１０３に交流電流が通電されたと判断したときに、標準電波を受信し時間情報を生成し腕時計２に送信することとしたがこれに限られるものではなく、例えばユーザーによる操作部への入力によって、開始されるものとしても良い。これによれば、ユーザーが充電と無関係に標準電波による時刻チェックが可能となる。
【０１５４】
また、上述した実施形態では例えばとして充電器１０２は、腕時計２に非接触で２次電池４１に電圧を印加する場合を説明したがこれに限られるものではなく、腕時計２に接触で２次電池４１に電圧を印加してもよい。例えば腕時計２の金属端子に充電器１０２の出力端子を接触させ、所定の電圧を２次電池４１に印加しても良い。これにより、例えば記録媒体３を腕時計２のメモリスロット１８に装着することで時刻を表示する領域の背景のより自由なカスタマイズ化が図れると共に、例えばカスタマイズ化により消費電力量が大きくなっても、電池をたびたび交換するという面倒を回避でき、更に充電器１０２の構造を簡単にできてコストを下げることができる。
【０１５５】
更に上述した実施形態では、腕時計２に備えられた少なくとも現在の時刻情報を生成するための駆動用電力源として、例えば２次電池４１を使用する場合を説明したがこれに限られるものではなく、例えば１次電池や太陽電池等の他の駆動用電力源であっても良い。これにより、より多様な腕時計２においても例えば時刻を表示する領域の背景のより自由なカスタマイズ化が図れる。
【０１５６】
【発明の効果】
以上説明したように、本発明では時計の表示面のデザインのカスタマイズ化が図れると共に、その時計の機能拡張がより可能となった。
【図面の簡単な説明】
【図１】本発明の第１の実施形態に係る時計システムの概略外観図である。
【図２】本発明の第１の実施形態に係る腕時計の制御部を中心とするブロック図である。
【図３】本発明の第１の実施形態に係る腕時計に記録媒体を装着しない場合の標準背景が表示された状態の説明図である。
【図４】本発明の第１の実施形態に係る時計システムの動作例の説明図である。
【図５】本発明の第１の実施形態に係る時計システムの動作例のフローチャートである。
【図６】本発明の第２の実施形態に係る時計システムの概略説明図である。
【図７】本発明の第２の実施形態に係る腕時計の制御部を中心とするブロック図である。
【図８】本発明の第２の実施形態に係る充電動作のフローチャートである。
【図９】本発明の第２の実施形態に係る標準電波による現時刻の修正のフローチャートである。
【符号の説明】
１、１０１  時計システム
２  腕時計
３  記録媒体
４  腕時計本体
５  腕時計用ベルト
６  電源部
７、１０４  入出力部
８  時計部
９  振動部
１０、１０５  インターフェース部
１１、１０８  制御部
１２  操作ボタン
１３  画像表示装置
１４  表示面
１５  時刻を表示する領域
１６  背景を表示する領域
１７  第１インターフェース
１８、５３  メモリスロット
１９  第２インターフェース
２０  ＣＰＵ
２１  ＲＡＭ
２２  ＲＯＭ
２３  データ格納部
２４  ソフトウエア格納部
２５  標準データ
２６  履歴データ
２７  認証データ
２８  予定データ
２９  金銭データ
３０  現時刻生成機構
３１  入力情報読込み機構
３２  画像生成機構
３３  画像表示機構
３４  表示規制機構
３５  時限管理機構
３６  送受信機構
３７  充電機構
３８  現時刻修正機構
３９  電圧データ
４１  ２次電池
４２  ２次コイル
５１  ネットワーク
５２  パーソナルコンピュータ
１０２  充電器
１０３  １次コイル
１０６  アンテナ
１０７  受信回路
【図１】
2004317430.tif 000003
【図２】
2004317430.tif 000004
【図３】
2004317430.tif 000005
【図４】
2004317430.tif 000006
【図５】
2004317430.tif 000007
【図６】
2004317430.tif 000008
【図７】
2004317430.tif 000009
【図８】
2004317430.tif 000010
【図９】
2004317430.tif 000011